(57)【要約】      （修正有）【課題】手作りされたヴィンテージ感を有し、更には経年と共に風合いを増すことが可能な高級感を有する筆記具を提供する。【解決手段】両側辺近傍をすいて肉薄部を形成した略長方形状の皮革部１０を筆記具の軸筒に巻きつけ、肉薄部同士を合わせて縫糸２０で縫合して構成した。皮革部の上下端辺部近傍をすいて肉薄部１２を形成してもよい。また、上下端辺部近傍をすいて肉薄部を形成した略長方形状の皮革であるベルト部３０の、薄肉部を両端縁が接しない程度に折り返し、ベルト部を皮革部１０に縫合したうえで、ベルト部にクリップ部５０を取り付けてもよい。皮革部に焼印を施すのが好ましい。【選択図】図１
0003196970.tif 000002
【実用新案登録請求の範囲】
【請求項１】
両側辺近傍をすいて肉薄部（１１）を形成した略長方形状の皮革部（１０）を筆記具の軸筒に巻きつけ、肉薄部同士を合わせて縫合した筆記具。
【請求項２】
皮革部（１０）の上下端辺部近傍をすいて肉薄部（１２）を形成した請求項１に記載の筆記具。
【請求項３】
上下端辺部近傍をすいて肉薄部（３１）を形成した略長方形状の皮革であるベルト部（３０）の、薄肉部（３１）を両端縁が接しない程度に折り返し、皮革部（１０）に縫合したうえで当該ベルト部（３０）にクリップ部（５０）を取り付けた請求項１又は請求項２に記載の筆記具。
【請求項４】
皮革部（１０）に焼印を施した請求項１乃至請求項３いずれかに記載の筆記具。
【考案の詳細な説明】
【技術分野】
【０００１】
本考案は、ボールペン、万年筆、シャープペンシル、筆などの筆記具に関し、更に詳しくは軸筒を皮革で被覆することで高級感をかもし出す筆記具に関する。
【背景技術】
【０００２】
筆記具は意匠的要素が重要視される商品であり、高級筆記具においては、軸筒やキャップの外周面に飾りリングを取り付けて高級感を強調することがしばしば行われる。
【０００３】
また、万年筆等の筆記具に対して品質感、高級感を与える装飾として、例えば高い光沢感を有する薄貝片を使用する螺でん装飾等が施されることもある。
【０００４】
特許文献１には、軸筒の外面に手指の接触により熱変色可能な環状装飾部を設けることで高級感を演出する筆記具が開示されている。
【０００５】
特許文献２には、軸筒に装飾部本体を配設したうえで、外方から透過性を有する樹脂製のシート被覆することで、軸筒に直接装飾が施されているかの外観をかもし出し、高級感を付与した筆記具が開示されている。
【先行技術文献】
【特許文献】
【０００６】
【特許文献１】特開２０１２−１８７８４６号公報
【特許文献２】登録実用新案公報第３１６８１８０号
【考案の概要】
【考案が解決しようとする課題】
【０００７】
本考案もまた、筆記具に高級感を付与するためのものであり、手作りされたヴィンテージ感を有し、更には経年と共に風合いを増すことが可能な筆記具を提供するものである。
【０００８】
また、筆記具は日常的に使用されるものであり、しかも使用者が特定の年齢層に限られないことから、一般販売の他にも贈答品として配されることが多い。そこで、本考案は贈答品としての付加価値も備える筆記具を提供することを目的とするものである。
【課題を解決するための手段】
【０００９】
上記の目的を達成する本考案の構成は次の通りである。
【００１０】
（１）  請求項１に記載の考案は、両側辺近傍をすいて肉薄部を形成した略長方形状の皮革部を筆記具の軸筒に巻きつけ、肉薄部同士を合わせて縫合して構成した。
【００１１】
（２）  請求項２に記載の考案は、請求項１記載の筆記具において、皮革部の上下端辺部近傍をすいて肉薄部を形成して構成した。
【００１２】
（３）  請求項３に記載の考案は、請求項１又は請求項２に記載の筆記具において、上下端辺部近傍をすいて肉薄部を形成した略長方形状の皮革であるベルト部の、薄肉部を両端縁が接しない程度に折り返し、当該ベルト部を皮革部に縫合したうえで、ベルト部にクリップ部を取り付け構成した。
【００１３】
（４）  請求項４に記載の考案は、請求項１乃至請求項３いずれかに記載の筆記具において、皮革部に焼印を施し構成した。
【考案の効果】
【００１４】
上記のように構成される本考案が、如何に作用して課題を解決するかを図面を参照しながら概説する。
【００１５】
本考案にかかる筆記具１は、図３や図４に示される略長方形状の皮革部１０を、図１に示すように筆記具１の軸筒に巻きつけて構成してある。
【００１６】
しかも、皮革部１０の両端に設けた肉薄部１１，１１同士を合わせ縫合してあることから、縫合部位Ｚが外部から視認でき、また縫糸２０も外観に現れるものである。
【００１７】
かように皮革で覆われていることに伴う高級感や、縫合部位や縫糸が現れることにより手作りされた製品がかもし出すヴィンテージ感が、本考案に係る筆記具には備わっているものである。
【００１８】
また、皮革は手入れをすることで独特の風合いをかもし出すものであり、本考案も経年により、より風格の伴う筆記具に変貌していくものである。
【００１９】
請求項３に記載の考案においては、ベルト部３０が皮革部１０に巻回され、その上から、クリップ部５０が取り付けられている。これはクリップ部５０がずれ落ちないようにするための工夫である。
【００２０】
すなわち、図５に示すように、略長方形状の皮革であるベルト部３０の上下端辺部近傍は、すくことで肉薄部３１が形成してある。この肉薄部３１を図６に示すように両端縁が接しない程度折り返したうえで、図７に示すように皮革部１０に縫合してある。
【００２１】
両端縁が接しない程度に折り返してあることから、図６ｃに示すようにクリップ部５０の環状部５１が当接した際に、上記両端縁が接しない部位が湾曲することになり（図中左方向に湾曲する）、これによりクリップ部５０がずれ落ちることを防ぐものである。
【００２２】
また、肉薄部３１が形成してあるのは、折り返した際にベルト部３０の表側（図６ｂにおける右側）に筋が現れないようにするためである。
【００２３】
請求項４に記載の考案は、請求項１乃至請求項３いずれかに記載の筆記具において、皮革部１０に焼印を施して構成してある。図１における「三上工房」の文字が焼印を施した部位である。例えば、贈答を受ける者の銘を焼印するといったことが可能となり、
本考案は贈答品としての付加価値をも備える筆記具となるのである。
【図面の簡単な説明】
【００２４】
【図１】本考案にかかる筆記具の斜視図
【図２】Ａ−Ａ線断面図
【図３】ａ  皮革部の正面図              ｂ  同、背面図              ｃ  Ｂ−Ｂ線断面図              ｄ  Ｃ−Ｃ線断面図
【図４】ａ  皮革部の正面図              ｂ  同、背面図              ｃ  Ｄ−Ｄ線断面図              ｄ  Ｅ−Ｅ線断面図
【図５】ａ  ベルト部の正面図              ｂ  同、背面図              ｃ  Ｆ−Ｆ線断面図
【図６】ａ  薄肉部を折り返した状態の拡大正面図              ｂ  同、右側面図              ｃ  クリップ部を取り付けた状態の説明断面図
【図７】ａ  皮革部にベルト部を縫合した状態の正面図              ｂ  Ｇ−Ｇ線断面図
【考案を実施するための形態】
【００２５】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２６】
本考案に係る筆記具１は、図１や図２に示すように軸筒２の外側面部に皮革部１０を巻きつけて構成されるものである。
【００２７】
筆記具１の種類は、ボールペンの他、シャープペン、万年筆、毛筆等、皮革部１０を装着することが可能な軸筒を有していれば、特に限定する必要は無い。
【００２８】
請求項１に記載の考案においては、皮革部１０は図３に示されるように略長方形状にカッティングされ、両側辺近傍をすいて肉薄部１１，１１を形成してある。この皮革部１０を軸筒に巻きつけ、図２に示すように、肉薄部１１同士を当接させ、縫糸２０で縫合するものである。
【００２９】
なお、肉薄部１１を形成する意図は、縫合部位Ｚの厚みを薄くし、手で握った際のごわごわ感を無くし、感触をよくするためである。
【００３０】
請求項２に記載の考案においては、皮革部１０は図４に示されるように、皮革部１０の上下端辺部近傍をすいて肉薄部１２，１２を形成してある。係る肉薄部１２を設けているのは、図１に示すように、軸筒に皮革部１０を巻きつけた際に、皮革部１０の上下端が軸筒の中心方向に向かって縮径することで、シルエットを良くするため、及び下端部においては、握りやすくするためである。なお、係る縮径する部位においては、縫糸２０による縫製工程において、ミシン目を２針づつ内方向に入れる作業が行われている。
【００３１】
請求項３に記載の考案においては、ベルト部３０が皮革部１０に巻回され、その上から、クリップ部５０が取り付けられている。
【００３２】
ベルト部３０は図５に示すように、上下端辺部近傍をすいて肉薄部３１を形成した略長方形状の皮革である。この肉薄部３１を図６に示すように両端縁が接しない程度折り返したうえで、図７に示すように皮革部１０に縫糸４０を用いて縫合してある。肉薄部３１を設けてあるのは、先述の通りクリップ部５０がずれ落ちないようにするためである。
【００３３】
図２は軸筒２にベルト部３０を縫合した皮革部１０を巻きつけ、その上からリング状の薄板である環状部５１を嵌め、クリップ部５０を固定した状態を示すものである。
【００３４】
請求項４に記載の考案においては、皮革部１０に焼印を施してある。具体的方法は、半田ごてで皮革部１０の表面を焼くことによるものである。かかる焼印を施すことで、オーダーメードのような高級感を有する外観品質を確保することができる。
【符号の説明】
【００３５】
１０・・皮革部      １１・・肉薄部      １２・・肉薄部
２０・・縫糸    
３０・・ベルト部      ３１・・薄肉部
４０・・縫糸
５０・・クリップ部      ５１・・環状部
【図１】
0003196970.tif 000003
【図２】
0003196970.tif 000004
【図３】
0003196970.tif 000005
【図４】
0003196970.tif 000006
【図５】
0003196970.tif 000007
【図６】
0003196970.tif 000008
【図７】
0003196970.tif 000009